(57)【要約】【課題】スピーカー設置結構に関する【解決手段】  本体、台座、二枚の弾性薄片などの要素から形成される。本体の片側の外縁に、逃げ避け領域が形成される。台座はプラスチック射出により成型され、内部に収容部が加工される。収容部が本体を収容する。二枚の弾性薄片はそれぞれ結合端及び接触端を持つ。二枚の弾性薄片の結合端はそれぞれ台座の一端に設置される。二枚の弾性薄片の接触端はそれぞれ本体の逃げ避け領域の両側に配置される。【選択図】図４
0003119006.tif 000002
【実用新案登録請求の範囲】
【請求項１】
プラスチック射出により成型され、中に収容部がある台座と、
前記収容部の中に配置され、片側の外縁に逃げ避け領域が形成される本体と、
それぞれ結合端と接触端を持つ二枚の弾性薄片と、
を有し、
前記二枚の弾性薄片の前記結合端は、それぞれ前記台座の一端に設置され、前記二枚の弾性薄片の前記接触端は、それぞれ前記本体の逃げ避け領域の両側に配置される、
スピーカー設置結構。
【請求項２】
前記本体の外縁において、前記逃げ避け領域と異なる側に位置決め部があり、当該位置決め部は階段状である、
請求項１に記載のスピーカー設置結構。
【請求項３】
前記逃げ避け領域は面取りである、
請求項１に記載のスピーカー設置結構。
【請求項４】
前記本体において、前記逃げ避け領域と異なる一側に収容溝がある、
請求項１に記載のスピーカー設置結構。
【請求項５】
前記台座の一端に二つの凹溝を開ける、
請求項１に記載のスピーカー設置結構。
【請求項６】
前記二つの弾性薄片の前記接触端は凸弧状であり、突出ブロックを設ける、
請求項１に記載のスピーカー設置結構。
【考案の詳細な説明】
【技術分野】
【０００１】
本考案は、スピーカー設置結構に関するものであり、特に、空間を省くスピーカー設置結構を指す。
【背景技術】
【０００２】
図5から図7に示すのは、従来のスピーカー１の結構である。主に、下薄片２、ヨーク(yoke)３、二つの端子4などの要素を含む。下薄片２は、ほぼU字形となる断面の円盤体であり、その外縁に、円弧状の面取り５が形成される。ヨーク3は、プラスチックの射出成型の製品であり、内部に収容空間６を設け、下薄片２を埋め込む。つまり、ヨーク３は一体化に成型されるときに、下薄片２の面取り箇所に覆われる。二つの端子４はそれぞれヨーク３の一端に設けられる。端子４の一端はヨーク３の中に埋め込まれるが、もう一端は接触部７を形成し、回路基板と、相互に接触してある（図示せず）。
【０００３】
しかし、実用観点から見ると、従来の結構は沢山な欠点がある。下薄片２がヨーク３のより大きな表面を占めるせいで、端子４が押されるときに、その接触部７が下薄片2、ヨーク３の外表面につっかいをする。その結果、スピーカー１の作業高さH2は、ヨーク３のトータル高さH1より大きい。作業高さH2が高すぎると、より大きな空間がないと、スピーカー１を置くことができない。どころが、現在、電子製品又は通信器材が精巧かつコンパクト(compact)という主要の設計目標がはやっているので、作業高さH2の占め過ぎるスピーカー１は、産業界のニーズ(needs)に合わないと淘汰される。要するに、従来の設計は空間を占めるので、いつも、軽、薄、短、小という訴求の障碍を招く。
【０００４】
また、端子４の両端における転換折り曲げ領域８がヨーク３に貼り付ける代わりに、ヨーク３の後端から突出してあるので、空間の設計にとって、やはり有効的に利用できず、同様に、電子製品の内部空間を占めるという欠陥となる。前掲のように、産業の利用に合わなくて、研究開発で改良しなければならない。
【考案の開示】
【考案が解決しようとする課題】
【０００５】
本考案の目的は、空間を省くスピーカー設置結構を提供することにある。
【課題を解決するための手段】
【０００６】
本案により、スピーカー設置結構は、本体、台座、二枚の弾性薄片などの要素から形成される。本体の片側の外縁に、逃げ避け領域が形成される。台座はプラスチック射出により成型され、内部に収容部が加工される。収容部が本体を収容する。二枚の弾性薄片は、それぞれ結合端及び接触端を持つ。二枚の弾性薄片の結合端は、それぞれ台座の一端に設置される。二枚の弾性薄片の接触端は、それぞれ本体の逃げよく領域の両側に配置される。そうすると、作業高さを有効的に低くし、空間を省く効果を遂げる。
【考案の効果】
【０００７】
本考案は、空間を省くスピーカー設置結構を提供する。
【考案を実施するための最良の形態】
【０００８】
次に、添付した図面を参照しながら、本考案の好適な実施形態を詳細に説明する。
【０００９】
図１と図2に示すように、本考案のスピーカー１０は、本体２０、台座３０、二枚の弾性薄片４０などの要素から形成される。台座３０は、プラスチック射出により成型され、本体２０の外縁に覆われる。二枚の弾性薄片４０の一端をそれぞれ台座２０の一端に埋め込んで、別端をそれぞれ本体２０の両側に配置するので、本体２０の上面に阻止されない。それで、作業高さを有効的に低くし、空間を省くという効果を達成する。
【００１０】
図3と図4に示すように、本体２０は、ほぼ円盤状であり、片側に収容溝２１が形成される。収容溝２１を経由して、マグネット(magnet)、コイル(coil)を収容する(図面に示せず)。本体２０の外縁には、収容溝２１から遠く離れる片側に、逃げ避け領域２２が形成される。本実施例ならば、逃げ避け領域２２は傾斜状の面取りである。本体２０の外縁において、逃げ避け領域２２の反対側に、位置決め部２３が設けられる。本実施例ならば、位置決め部２３は階段状である。
【００１１】
台座３０は、プラスチックの射出成型製品であり、第一端と第二端を持つ。第一端に半円型の輪郭が形成され、第二端に方形の輪郭が形成される。台座３０の第二端に二つの凹溝３１が加工される。二つの凹溝３１は、台座３０の第一端へ向かって延ばされる。
【００１２】
台座３０の二つの凹溝３１の間に、両側を貫通する収容部３２がある。収容部３２は台座３０を射出しているうちに、本体２０に埋め込まれる。しかも、本体２０には、収容溝２１と異なる片側を台座３０の外から露出させる。台座３０が本体２０の外縁における逃げ避け領域２２及び位置決め部２３を覆ったあとで、本体２０を安定かつ丈夫なように、台座３０の収容部３２に結んで、脱出の恐れがない。台座３０の収容部３２に、振動膜、カバー（図面に示せず）を取り付けて、整体のスピーカー（DSH）又は送話、受話装置（DTR）などは形成される。
【００１３】
二枚の弾性薄片４０は、それぞれ台座３０の第二端の凹溝３１に取り付けられて、弾性のように、回路基板（図面に示せず）につっかいをする。弾性薄片４０は、第一端及び第二端を有する。第一端は結合端４１を形成する。結合端４１は台座３０の第二端に埋め込まれて、一体化のように成型される。弾性薄片４０の第二端は、接触端４２を形成する。接触端４２は凸弧状である。本実施例ならば、弾性薄片４０の接触端４２に、突出ブロック(block)４３を設ける。
【００１４】
使用の場合に、弾性薄片４０は押されて、台座３０の凹溝３１に入って、本体２０に阻止しないように、本体２０に配置される。そのときに、弾性薄片４０の接触端４２から、台座３０の底面までの作業高さH3は台座３０のトータル高さH1より低いので、スピーカー１０の整体高度を減らすと同時に、空間を省く効果も達成される。
【００１５】
その他、弾性薄片４０がまったく台座３０の凹溝３１に貼り付けられるので、台座３０の第二端としても、占める空間を減らし、空間を省く効果を果たす。要するに、本考案の設計により、スピーカー１を用いる電子製品又は通信器材はもっと精巧、軽薄、コンパクトのようになり、消費者の、小さければ小さいほど携行が便利だというニーズを満足することができ、産業の応用に合う設計である。
【００１６】
以上の内容をまとめると、本考案は次の利点がある。
【００１７】
１、本考案により、スピーカー設置結構において、本体の外縁に、傾斜面取りの逃げ避け領域があるので、二枚の弾性薄片はもっと台座に貼り付けて、作業高さを低くする効果に役立つ。
【００１８】
２、本考案により、スピーカー設置結構において、台座の一端に二つの凹溝を開けるので、二枚の弾性薄片を収容して、空間を省く効果を果たす。
【００１９】
３、本考案により、スピーカー設置結構において、本体の外縁に位置決め部があるので、台座を成型したあとで、安定かつ丈夫なように、本体を覆う効果を提供することができる。
【００２０】
以上、本考案の好ましい実施形態を説明したが、本考案はこの実施形態に限定されず、本考案の趣旨を離脱しない限り、本考案に対するあらゆる変更は本考案の範囲に属する。
【図面の簡単な説明】
【００２１】
【図１】本考案の立体外観図である。
【図２】図1の２−２ラインに沿って見た断面図である。
【図３】図2の延長継続図である。
【図４】図3の４−４ラインに沿って見た断面図である。
【図５】従来の結構の立体外観図である。
【図６】図５のライン６−６に沿って見た断面図である。
【図７】図６のライン７−７に沿って見た断面図である。
【符号の説明】
【００２２】
１  スピーカー
２  下薄片
３  ヨーク
４  端子
５  面取り
６  収容空間
７  接触部
８  転換折り曲げ領域
１０  スピーカー
２０  本体
２１  収容溝
２２  逃げ避け領域
２３  位置決め部
３０  台座
３１  凹溝
３２  収容部
４０  弾性薄片
４１  結合端
４２  接触端
４３  突出ブロック
H1  トータル高さ
H2  作業高さ
H3  作業高さ
【図１】
0003119006.tif 000003
【図２】
0003119006.tif 000004
【図３】
0003119006.tif 000005
【図４】
0003119006.tif 000006
【図５】
0003119006.tif 000007
【図６】
0003119006.tif 000008
【図７】
0003119006.tif 000009
【手続補正書】
【提出日】平成17年11月18日(2005.11.18)
【手続補正１】
【補正対象書類名】実用新案登録請求の範囲
【補正対象項目名】全文
【補正方法】変更
【補正の内容】
【実用新案登録請求の範囲】
【請求項１】
プラスチック射出により成型され、中に収容部がある台座と、  前記収容部の中に配置され、片側の外縁に逃げ避け領域が形成される本体と、  それぞれ結合端と接触端を持つ二枚の弾性薄片と、  を有し、  前記二枚の弾性薄片の前記結合端は、それぞれ前記台座の一端に設置され、前記二枚の弾性薄片の前記接触端は、それぞれ前記本体の逃げ避け領域の両側に配置される、  スピーカー設置構造。
【請求項２】
前記本体の外縁において、前記逃げ避け領域と異なる側に位置決め部があり、当該位置決め部は階段状である、  請求項１に記載のスピーカー設置構造。
【請求項３】
前記逃げ避け領域は面取りである、  請求項１に記載のスピーカー設置構造。
【請求項４】
前記本体において、前記逃げ避け領域と異なる一側に収容溝がある、  請求項１に記載のスピーカー設置構造。
【請求項５】
前記台座の一端に二つの凹溝を開ける、  請求項１に記載のスピーカー設置構造。
【請求項６】
前記二つの弾性薄片の前記接触端は凸弧状であり、突出ブロックを設ける、  請求項１に記載のスピーカー設置構造。
【手続補正２】
【補正対象書類名】明細書
【補正対象項目名】全文
【補正方法】変更
【補正の内容】
【考案の詳細な説明】
【技術分野】
【０００１】  本考案は、スピーカー設置構造に関するものであり、特に、空間を省くスピーカー設置構造を指す。
【背景技術】
【０００２】  図5から図7に示すのは、従来のスピーカー１の結構である。主に、下薄片２、ヨーク(yoke)３、二つの端子4などの要素を含む。下薄片２は、ほぼU字形となる断面の円盤体であり、その外縁に、円弧状の面取り５が形成される。ヨーク3は、プラスチックの射出成型の製品であり、内部に収容空間６を設け、下薄片２を埋め込む。つまり、ヨーク３は一体化に成型されるときに、下薄片２の面取り箇所に覆われる。二つの端子４はそれぞれヨーク３の一端に設けられる。端子４の一端はヨーク３の中に埋め込まれるが、もう一端は接触部７を形成し、回路基板と、相互に接触してある（図示せず）。【０００３】  しかし、実用観点から見ると、従来の結構は沢山な欠点がある。下薄片２がヨーク３のより大きな表面を占めるせいで、端子４が押されるときに、その接触部７が下薄片2、ヨーク３の外表面につっかいをする。その結果、スピーカー１の作業高さH2は、ヨーク３のトータル高さH1より大きい。作業高さH2が高すぎると、より大きな空間がないと、スピーカー１を置くことができない。どころが、現在、電子製品又は通信器材が精巧かつコンパクト(compact)という主要の設計目標がはやっているので、作業高さH2の占め過ぎるスピーカー１は、産業界のニーズ(needs)に合わないと淘汰される。要するに、従来の設計は空間を占めるので、いつも、軽、薄、短、小という訴求の障碍を招く。【０００４】  また、端子４の両端における転換折り曲げ領域８がヨーク３に貼り付ける代わりに、ヨーク３の後端から突出してあるので、空間の設計にとって、やはり有効的に利用できず、同様に、電子製品の内部空間を占めるという欠陥となる。前掲のように、産業の利用に合わなくて、研究開発で改良しなければならない。
【考案の開示】
【考案が解決しようとする課題】
【０００５】  本考案の目的は、空間を省くスピーカー設置構造を提供することにある。
【課題を解決するための手段】
【０００６】  本案により、スピーカー設置構造は、本体、台座、二枚の弾性薄片などの要素から形成される。本体の片側の外縁に、逃げ避け領域が形成される。台座はプラスチック射出により成型され、内部に収容部が加工される。収容部が本体を収容する。二枚の弾性薄片は、それぞれ結合端及び接触端を持つ。二枚の弾性薄片の結合端は、それぞれ台座の一端に設置される。二枚の弾性薄片の接触端は、それぞれ本体の逃げよく領域の両側に配置される。そうすると、作業高さを有効的に低くし、空間を省く効果を遂げる。
【考案の効果】
【０００７】  本考案は、空間を省くスピーカー設置構造を提供する。
【考案を実施するための最良の形態】
【０００８】  次に、添付した図面を参照しながら、本考案の好適な実施形態を詳細に説明する。【０００９】  図１と図2に示すように、本考案のスピーカー１０は、本体２０、台座３０、二枚の弾性薄片４０などの要素から形成される。台座３０は、プラスチック射出により成型され、本体２０の外縁に覆われる。二枚の弾性薄片４０の一端をそれぞれ台座２０の一端に埋め込んで、別端をそれぞれ本体２０の両側に配置するので、本体２０の上面に阻止されない。それで、作業高さを有効的に低くし、空間を省くという効果を達成する。【００１０】  図3と図4に示すように、本体２０は、ほぼ円盤状であり、片側に収容溝２１が形成される。収容溝２１を経由して、マグネット(magnet)、コイル(coil)を収容する(図面に示せず)。本体２０の外縁には、収容溝２１から遠く離れる片側に、逃げ避け領域２２が形成される。本実施例ならば、逃げ避け領域２２は傾斜状の面取りである。本体２０の外縁において、逃げ避け領域２２の反対側に、位置決め部２３が設けられる。本実施例ならば、位置決め部２３は階段状である。【００１１】  台座３０は、プラスチックの射出成型製品であり、第一端と第二端を持つ。第一端に半円型の輪郭が形成され、第二端に方形の輪郭が形成される。台座３０の第二端に二つの凹溝３１が加工される。二つの凹溝３１は、台座３０の第一端へ向かって延ばされる。【００１２】  台座３０の二つの凹溝３１の間に、両側を貫通する収容部３２がある。収容部３２は台座３０を射出しているうちに、本体２０に埋め込まれる。しかも、本体２０には、収容溝２１と異なる片側を台座３０の外から露出させる。台座３０が本体２０の外縁における逃げ避け領域２２及び位置決め部２３を覆ったあとで、本体２０を安定かつ丈夫なように、台座３０の収容部３２に結んで、脱出の恐れがない。台座３０の収容部３２に、振動膜、カバー（図面に示せず）を取り付けて、整体のスピーカー（DSH）又は送話、受話装置（DTR）などは形成される。【００１３】  二枚の弾性薄片４０は、それぞれ台座３０の第二端の凹溝３１に取り付けられて、弾性のように、回路基板（図面に示せず）につっかいをする。弾性薄片４０は、第一端及び第二端を有する。第一端は結合端４１を形成する。結合端４１は台座３０の第二端に埋め込まれて、一体化のように成型される。弾性薄片４０の第二端は、接触端４２を形成する。接触端４２は凸弧状である。本実施例ならば、弾性薄片４０の接触端４２に、突出ブロック(block)４３を設ける。【００１４】  使用の場合に、弾性薄片４０は押されて、台座３０の凹溝３１に入って、本体２０に阻止しないように、本体２０に配置される。そのときに、弾性薄片４０の接触端４２から、台座３０の底面までの作業高さH3は台座３０のトータル高さH1より低いので、スピーカー１０の整体高度を減らすと同時に、空間を省く効果も達成される。【００１５】  その他、弾性薄片４０がまったく台座３０の凹溝３１に貼り付けられるので、台座３０の第二端としても、占める空間を減らし、空間を省く効果を果たす。要するに、本考案の設計により、スピーカー１を用いる電子製品又は通信器材はもっと精巧、軽薄、コンパクトのようになり、消費者の、小さければ小さいほど携行が便利だ��いうニーズを満足することができ、産業の応用に合う設計である。【００１６】  以上の内容をまとめると、本考案は次の利点がある。【００１７】  １、本考案により、スピーカー設置構造において、本体の外縁に、傾斜面取りの逃げ避け領域があるので、二枚の弾性薄片はもっと台座に貼り付けて、作業高さを低くする効果に役立つ。【００１８】  ２、本考案により、スピーカー設置構造において、台座の一端に二つの凹溝を開けるので、二枚の弾性薄片を収容して、空間を省く効果を果たす。【００１９】  ３、本考案により、スピーカー設置構造において、本体の外縁に位置決め部があるので、台座を成型したあとで、安定かつ丈夫なように、本体を覆う効果を提供することができる。【００２０】  以上、本考案の好ましい実施形態を説明したが、本考案はこの実施形態に限定されず、本考案の趣旨を離脱しない限り、本考案に対するあらゆる変更は本考案の範囲に属する。
【図面の簡単な説明】
【００２１】
【図１】本考案の立体外観図である。
【図２】図1の２−２ラインに沿って見た断面図である。
【図３】図2の延長継続図である。
【図４】図3の４−４ラインに沿って見た断面図である。
【図５】従来の結構の立体外観図である。
【図６】図５のライン６−６に沿って見た断面図である。
【図７】図６のライン７−７に沿って見た断面図である。
【符号の説明】
【００２２】１  スピーカー２  下薄片３  ヨーク４  端子５  面取り６  収容空間７  接触部８  転換折り曲げ領域１０  スピーカー２０  本体２１  収容溝２２  逃げ避け領域２３  位置決め部３０  台座３１  凹溝３２  収容部４０  弾性薄片４１  結合端４２  接触端４３  突出ブロックH1  トータル高さH2  作業高さH3  作業高さ